(57)【要約】      （修正有）【課題】表示装置に外付けするため、表示装置が軽量かつ薄型となり美感に優れたＢｌｕｅｔｏｏｔｈ（登録商標）スピーカーを有するＴＶボックスを提供する。【解決手段】Ｂｌｕｅｔｏｏｔｈスピーカーを有するＴＶボックス１００は、表示装置２００と接続されて操作可能である上、ボックス１０と、２つのスピーカー２０と、Ｂｌｕｅｔｏｏｔｈモジュール３０と、音源コンバータ４０とを備える。ボックス１０内には、電源モジュール１１及びＴＶレシーバ１２が配設される。ＴＶレシーバ１２には、テレビＡＶ信号処理モジュール１３が接続される。テレビＡＶ信号処理モジュール１３には、タイミング装置１４が接続され、タイミング装置１４により画像信号が表示装置２００へ送信される。スピーカー２０は、ボックス１０の両側にそれぞれ配設される。Ｂｌｕｅｔｏｏｔｈモジュール３０は、ボックス１０内に配設され、デジタル音声信号を受信する。【選択図】図４
0003204206.tif 000002
【実用新案登録請求の範囲】
【請求項１】
表示装置と接続されて操作可能であるＢｌｕｅｔｏｏｔｈスピーカーを有するＴＶボックスであって、
前記Ｂｌｕｅｔｏｏｔｈスピーカーを有するＴＶボックスは、ボックスと２つのスピーカーと、Ｂｌｕｅｔｏｏｔｈモジュールと、音源コンバータと、を備えてなり、
前記ボックス内には、電源モジュール及びＴＶレシーバが配設され、前記ＴＶレシーバには、テレビＡＶ信号処理モジュールが接続され、前記テレビＡＶ信号処理モジュールには、タイミング装置が接続され、前記タイミング装置により画像信号が前記表示装置へ送信され、
前記スピーカーは、前記ボックスの両側にそれぞれ配設され、
前記Ｂｌｕｅｔｏｏｔｈモジュールは、前記ボックス内に配設され、デジタル音声信号を受信し、
前記音源コンバータは、前記ボックス内に配設され、前記テレビＡＶ信号処理モジュール、前記Ｂｌｕｅｔｏｏｔｈモジュール及び前記スピーカーとそれぞれ接続され、前記テレビＡＶ信号処理モジュール及び前記Ｂｌｕｅｔｏｏｔｈモジュールから伝送されるデジタル音声信号をアナログ音声信号へ変換し、前記スピーカーから放音することを特徴とするＢｌｕｅｔｏｏｔｈスピーカーを有するＴＶボックス。
【請求項２】
前記電源モジュールは、外部の電源と接続され、前記表示装置へ給電することを特徴とする請求項１に記載のＢｌｕｅｔｏｏｔｈスピーカーを有するＴＶボックス。
【請求項３】
前記スピーカーは円筒状であり、
前記スピーカーの筒身上が金属網により覆われ、
前記スピーカーの前端には、盆状ダイヤフラムが設けられていることを特徴とする請求項１に記載のＢｌｕｅｔｏｏｔｈスピーカーを有するＴＶボックス。
【請求項４】
前記ボックスには、信号入力インタフェイスが配設され、
前記信号入力インタフェイスには、復号モジュールが接続され、
前記復号モジュールは、前記テレビＡＶ信号処理モジュールと接続されることを特徴とする請求項１に記載のＢｌｕｅｔｏｏｔｈスピーカーを有するＴＶボックス。
【請求項５】
前記表示装置下には、脚部が設けられ、
前記脚部は、前方及び横方向へ延びたベースを有し、
前記ベースには、収容槽が凹設され、
前記収容槽には、前記ボックスが収容され、
前記収容槽の前端は、前記ボックスが着脱可能なように開放状に成形され、
前記ベースの前記収容槽には、２つの位置決め槽が成形され、
前記位置決め槽には、前記スピーカーがそれぞれ設置され、
前記位置決め槽の周壁には、前記ベースに前記ボックスが挿設され得るように、前記ボックスの挿入孔に対応するようにプラグが設けられ、前記プラグが前記表示装置と電気的に接続されていることを特徴とする請求項１に記載のＢｌｕｅｔｏｏｔｈスピーカーを有するＴＶボックス。
【考案の詳細な説明】
【技術分野】
【０００１】
本考案は、ＴＶボックスに関するものであり、さらに詳しくは、Ｂｌｕｅｔｏｏｔｈ（登録商標）スピーカーを有するＴＶボックスに関するものである。
【背景技術】
【０００２】
従来の液晶テレビは、液晶表示装置とＴＶボックスとから構成されてなるものである。ＴＶボックスは、一般に液晶表示装置の裏板に取り付けられる。液晶表示装置の裏板には、ハウジングが覆うように配置され、ＴＶボックスを覆い、ユーザは液晶テレビ中でのみ液晶表示装置を見ることができる。従来の液晶テレビは軽量かつ薄型であり、占有空間が小さいため、美感に優れるという長所を有する。液晶テレビは、液晶表示装置自身の厚さがあまり大きくないため、ＴＶボックス中の各部品の厚さを小さくすることができ、液晶テレビを軽量で薄型にすることができる。上述したようにＴＶボックス中の各部品の厚さが小さい場合、液晶テレビをさらに薄くすることができるが、本考案者は、長期間、ＴＶボックスの研究開発を行う過程で、ＴＶボックス中の各部品の厚さは一定程度しか減らすことができず、液晶スクリーンの厚さを低減させるには限界があることが分かった。また、ＴＶボックス中の各部品の厚さが小さくなるに伴い、放熱性が低下してしまうという欠点があり、液晶テレビが損壊し易い箇所はＴＶボックスの部分であったが、ＴＶボックスは、液晶スクリーンの裏板を覆うように設けられているため、修理する場合、液晶表示装置も一緒にサポートセンターへ搬送して修理しなければならず、取扱い上煩雑であった。
【考案の概要】
【考案が解決しようとする課題】
【０００３】
従って、本考案の主な課題は、表示装置が軽量かつ薄型となり美感に優れ、メンテナンスが容易であり、コードレススピーカーを使用することもできるＢｌｕｅｔｏｏｔｈスピーカーを有するＴＶボックスを提供することにある。
【課題を解決するための手段】
【０００４】
そこで、本考案者は、前記の本考案の課題を解決するため、鋭意検討を重ねた結果、表示装置に外付けされ、Ｂｌｕｅｔｏｏｔｈ機能を有する機能が送信するデジタル音声信号をＢｌｕｅｔｏｏｔｈモジュールで受信し、スピーカーで放音する構成をとることにより前記課題を解決できることに着目し、かかる知見に基いて本考案に想到するに至った。
【０００５】
すなわち、本考案の主な目的は、表示装置に外付けするため、表示装置が軽量かつ薄型となり見た目が好ましい上、修理が必要な場合サービスセンターで行うことができるため、メンテナンスが容易である上、Ｂｌｕｅｔｏｏｔｈ機能を有する機器が送信するデジタル音声信号をＢｌｕｅｔｏｏｔｈモジュールで受信し、スピーカーで放音し、コードレススピーカーを使用することもできるＢｌｕｅｔｏｏｔｈスピーカーを有するＴＶボックスを提供することにある。
かくして、本考案の要旨は次の通りである。
【０００６】
（１）表示装置と接続されて操作可能であるＢｌｕｅｔｏｏｔｈスピーカーを有するＴＶボックスであって、
前記Ｂｌｕｅｔｏｏｔｈスピーカーを有するＴＶボックスは、ボックスと２つのスピーカーと、Ｂｌｕｅｔｏｏｔｈモジュールと、音源コンバータと、を備えてなり、
前記ボックス内には、電源モジュール及びＴＶレシーバが配設され、前記ＴＶレシーバには、テレビＡＶ信号処理モジュールが接続され、前記テレビＡＶ信号処理モジュールには、タイミング装置が接続され、前記タイミング装置により画像信号が前記表示装置へ送信され、
前記スピーカーは、前記ボックスの両側にそれぞれ配設され、
前記Ｂｌｕｅｔｏｏｔｈモジュールは、前記ボックス内に配設され、デジタル音声信号を受信し、
前記音源コンバータは、前記ボックス内に配設され、前記テレビＡＶ信号処理モジュール、前記Ｂｌｕｅｔｏｏｔｈモジュール及び前記スピーカーとそれぞれ接続され、前記テレビＡＶ信号処理モジュール及び前記Ｂｌｕｅｔｏｏｔｈモジュールから伝送されるデジタル音声信号をアナログ音声信号へ変換し、前記スピーカーから放音することを特徴とするＢｌｕｅｔｏｏｔｈスピーカーを有するＴＶボックス。
【０００７】
（２）前記電源モジュールは、外部の電源と接続され、前記表示装置へ給電することを特徴とする前記（１）に記載のＢｌｕｅｔｏｏｔｈスピーカーを有するＴＶボックス。
【０００８】
（３）前記スピーカーは円筒状であり、
前記スピーカーの筒身上が金属網により覆われ、
前記スピーカーの前端には、盆状ダイヤフラムが設けられていることを特徴とする前記（１）に記載のＢｌｕｅｔｏｏｔｈスピーカーを有するＴＶボックス。
【０００９】
（４）前記ボックスには、信号入力インタフェイスが配設され、
前記信号入力インタフェイスには、復号モジュールが接続され、
前記復号モジュールは、前記テレビＡＶ信号処理モジュールと接続されることを特徴とする前記（１）に記載のＢｌｕｅｔｏｏｔｈスピーカーを有するＴＶボックス。
【００１０】
（５）前記表示装置下には、脚部が設けられ、
前記脚部は、前方及び横方向へ延びたベースを有し、
前記ベースには、収容槽が凹設され、
前記収容槽には、前記ボックスが収容され、
前記収容槽の前端は、前記ボックスが着脱可能なように開放状に成形され、
前記ベースの前記収容槽には、２つの位置決め槽が成形され、
前記位置決め槽には、前記スピーカーがそれぞれ設置され、
前記位置決め槽の周壁には、前記ベースに前記ボックスが挿設され得るように、前記ボックスの挿入孔に対応するようにプラグが設けられ、前記プラグが前記表示装置と電気的に接続されていることを特徴とする前記（１）に記載のＢｌｕｅｔｏｏｔｈスピーカーを有するＴＶボックス。
【考案の効果】
【００１１】
本考案は、前記の通りの構成からなり、Ｂｌｕｅｔｏｏｔｈスピーカーを有するＴＶボックスが表示装置に外付けされるため、表示装置が軽量かつ薄型となり、美感に優れたものとなると共に、ＴＶボックスの修理も容易となる。
【図面の簡単な説明】
【００１２】
【図１】図１は、本考案の一実施形態に係るＢｌｕｅｔｏｏｔｈスピーカーを有するＴＶボックスを示す斜視図である。
【図２】図２は、本考案の一実施形態に係るＢｌｕｅｔｏｏｔｈスピーカーを有するＴＶボックスを表示装置に接続した状態を示す斜視図である。
【図３】図３は、本考案の一実施形態に係るＢｌｕｅｔｏｏｔｈスピーカーを有するＴＶボックスを表示装置に接続した状態を示す斜視図である。
【図４】図４は、本考案の一実施形態に係るＢｌｕｅｔｏｏｔｈスピーカーを有するＴＶボックスを示すブロック図である。
【図５】図５は、本考案の一実施形態に係るＢｌｕｅｔｏｏｔｈスピーカーを有するＴＶボックスがテレビ信号を伝送するブロック図である。
【図６】図６は、本考案の一実施形態に係るＢｌｕｅｔｏｏｔｈスピーカーを有するＴＶボックスのデジタル音声信号を伝送するブロック図である。
【考案を実施するための形態】
【００１３】
図１〜図４を参照する。図１は、本考案の一実施形態に係るＢｌｕｅｔｏｏｔｈスピーカーを有するＴＶボックスを示す斜視図である。図２は、本考案の一実施形態に係るＢｌｕｅｔｏｏｔｈスピーカーを有するＴＶボックスを表示装置に接続した状態を示す斜視図である。図３は、本考案の一実施形態に係るＢｌｕｅｔｏｏｔｈスピーカーを有するＴＶボックスを表示装置に接続した状態を示す斜視図である。図４は、本考案の一実施形態に係るＢｌｕｅｔｏｏｔｈスピーカーを有するＴＶボックスを示すブロック図である。図１〜図４に示すように、本考案の一実施形態に係るＢｌｕｅｔｏｏｔｈスピーカーを有するＴＶボックス１００は、表示装置２００と接続されて操作可能である上、ボックス１０と、２つのスピーカー２０と、Ｂｌｕｅｔｏｏｔｈモジュール３０と、音源コンバータ４０と、信号入力インタフェイス５０と、脚部６０とから構成されてなる。
【００１４】
ボックス１０内には、電源モジュール１１が設けられる。電源モジュール１１は、外部の電源に接続され、表示装置２００へ給電する。ボックス１０内には、ＴＶレシーバ１２が設けられる。ＴＶレシーバ１２には、テレビＡＶ信号処理モジュール１３が接続される。テレビＡＶ信号処理モジュール１３には、タイミング装置１４が接続される。タイミング装置１４は、表示装置２００へ画像信号を送信する。また、ボックス１０には、挿入孔１５が形成されている。
【００１５】
２つのスピーカー２０は、ボックス１０の両側にそれぞれ配設される。本実施形態のスピーカー２０は円筒状である。各スピーカー２０の筒身上は金属網２１により覆われる。また、各スピーカー２０の前端には、盆状ダイヤフラム２２が設けられる。
【００１６】
Ｂｌｕｅｔｏｏｔｈモジュール３０は、ボックス１０内に配設され、デジタル音声信号を受信する。
【００１７】
音源コンバータ４０は、ボックス１０内に配設され、テレビＡＶ信号処理モジュール１３と接続される。また、音源コンバータ４０は、Ｂｌｕｅｔｏｏｔｈモジュール３０及びスピーカー２０とそれぞれ接続され、テレビＡＶ信号処理モジュール１３及びＢｌｕｅｔｏｏｔｈモジュール３０が送信したデジタル音声信号をアナログ音声信号へ変換してスピーカー２０から放音する。
【００１８】
信号入力インタフェイス５０には、復号モジュール５１が接続されている。復号モジュール５１は、テレビＡＶ信号処理モジュール１３と接続され、様々な通信方式でテレビ信号その他の形式の映像ファイルを受信したり、音声画像データを受信したりすることができる。
【００１９】
脚部６０は、表示装置２００下に設けられている。脚部６０は、前方及び横方向へ延びたベース６１を有する。ベース６１には、収容槽６２が凹設されている。収容槽６２には、ボックス１０が収容される。収容槽６２の前端は、ボックス１０が着脱可能なように開放状に成形されている。ベース６１の収容槽６２には、２つの位置決め槽６３が成形されている。複数の位置決め槽６３には、スピーカー２０が対応するように設置されている。位置決め槽６３の周壁には、ベース６１にボックス１０が挿設され得るように、ボックス１０の挿入孔１５に対応するようにプラグ６４が設けられ、プラグ６４は表示装置２００と電気的に接続されている。
【００２０】
図５を参照する。図５は、本考案の一実施形態に係るＢｌｕｅｔｏｏｔｈスピーカーを有するＴＶボックスがテレビ信号を伝送するブロック図である。図１〜図５に示すように、本考案の一実施形態に係るＢｌｕｅｔｏｏｔｈスピーカーを有するＴＶボックス１００は、表示装置２００に外付けされ、ユーザがテレビ番組を視聴する際、表示装置２００をオンすると、Ｂｌｕｅｔｏｏｔｈスピーカーを有するＴＶボックス１００内のＴＶレシーバ１２は、テレビケーブル、アンテナ、衛星などの媒体を介してテレビ信号を受信する。テレビ信号は、ＴＶレシーバ１２によりデジタル映像信号トランスポートストリームへ復調され、デジタル映像信号トランスポートストリームがテレビＡＶ信号処理モジュール１３へ送信される。テレビＡＶ信号処理モジュール１３は、デジタル映像信号トランスポートストリームを画像信号及びデジタル音声信号へ還元する。画像信号は、タイミング装置１４を介して表示装置２００へ伝送される。デジタル音声信号は、音源コンバータ４０を介してアナログ音声信号へ変換されてスピーカー２０へ伝送される。このように、Ｂｌｕｅｔｏｏｔｈスピーカーを有するＴＶボックス１００が表示装置２００に外付けされるため、表示装置２００が軽量かつ薄型となり、見た目が好ましい上、メンテナンスの必要がある場合、Ｂｌｕｅｔｏｏｔｈスピーカーを有するＴＶボックス１００をサービスセンターで修理することができるため、メンテナンスが容易である。
【００２１】
図６を参照する。図６は、本考案の一実施形態に係るＢｌｕｅｔｏｏｔｈスピーカーを有するＴＶボックスのデジタル音声信号を伝送するブロック図である。図１〜図３及び図６に示すように、本考案の一実施形態に係るＢｌｕｅｔｏｏｔｈスピーカーを有するＴＶボックス１００は、表示装置２００に接続して操作することができる上、ボックス１０内にＢｌｕｅｔｏｏｔｈモジュール３０が配設されている。Ｂｌｕｅｔｏｏｔｈモジュール３０は、Ｂｌｕｅｔｏｏｔｈ機能を有する携帯電話、パーソナルコンピューター又はＭＰ３プレーヤーからのデジタル音声信号を受信する。例えば、Ｂｌｕｅｔｏｏｔｈ機能を有する携帯電話３００の場合、ユーザは、携帯電話３００内のデジタル音声信号をＢｌｕｅｔｏｏｔｈ機能を利用して送信する。Ｂｌｕｅｔｏｏｔｈモジュール３０は、デジタル音声信号を受信すると、音源コンバータ４０へ送信し、音源コンバータ４０を介してデジタル音声信号をアナログ音声信号へ変換してから、スピーカー２０から放音する。この構成により、Ｂｌｕｅｔｏｏｔｈモジュール３０がＢｌｕｅｔｏｏｔｈ機能を有する機器から送信されたデジタル音声信号を受信すると、音源コンバータ４０によりアナログ音声信号へ変換し、複数のスピーカー２０から放音する。また、本考案はより実用的になるようにコードレススピーカーを使用してもよい。
【００２２】
ユーザは、信号入力インタフェイス５０を介してテレビ信号、映像ファイル又は音声画像データを受信することができる。本実施形態において、信号入力インタフェイス５０はＵＳＢインタフェイスである。ＵＳＢインタフェイスは、携帯型記憶装置その他記憶機能を備えた電子機器などに接続されてもよい。ＵＳＢインタフェイスが受信する映像ファイルは、復号モジュール５１によりデジタル映像信号トランスポートストリームへ復号してテレビＡＶ信号処理モジュール１３へ伝送する。テレビＡＶ信号処理モジュール１３は、デジタル映像信号トランスポートストリームを画像信号及びデジタル音声信号へ変換してタイミング装置１４及び音源コンバータ４０へそれぞれ伝送し、表示装置２００で画像を再生してスピーカー２０から放音する。
【００２３】
ここで、ベース６１の収容槽６２に設けたプラグ６４は、ボックス１０が収容槽６２に収容されて嵌挿され、プラグ６４が表示装置２００と電気的に接続され、位置決め槽６３がスピーカー２０に対応するように形成され、ボックス１０が収容槽６２に位置決めされるため、Ｂｌｕｅｔｏｏｔｈスピーカーを有するＴＶボックス１００を簡便に取付けることができる。
【符号の説明】
【００２４】
１０  ボックス
１１  電源モジュール
１２  ＴＶレシーバ
１３  テレビＡＶ信号処理モジュール
１４  タイミング装置
１５  挿入孔
２０  スピーカー
２１  金属網
２２  ダイヤフラム
３０  Ｂｌｕｅｔｏｏｔｈモジュール
４０  音源コンバータ
５０  信号入力インタフェイス
５１  復号モジュール
６０  脚部
６１  ベース
６２  収容槽
６３  位置決め槽
６４  プラグ
１００  Ｂｌｕｅｔｏｏｔｈスピーカーを有するＴＶボックス
２００  表示装置
３００  携帯電話
【図１】
0003204206.tif 000003
【図２】
0003204206.tif 000004
【図３】
0003204206.tif 000005
【図４】
0003204206.tif 000006
【図５】
0003204206.tif 000007
【図６】
0003204206.tif 000008